(57)【特許請求の範囲】
【請求項１】
前方に開口する筐体の両側壁にレール取付部を設定し、これらのレール取付部に、引出しの両側を支持するレールを取り付けるようにしたものであって、
前記レール取付部は、レールの前端側及び後端側を支持すべく前レール取付孔及び後レール取付孔を含む組からなり、これらのレール取付孔にレールに設けた係り合い部を着脱可能に係り合わせ得るように構成するとともに、少なくとも何れかの段のレール取付部は、レールの割り付けパターンに対応して前レール取付孔及び後レール取付孔を含む組を複数組有しており、何れかの組を選択して同じ段に異なる種類のレールを取り付け得るように構成したことを特徴とする引出し装置。
【請求項２】
異なる組に属する前レール取付孔同士および後レール取付孔同士は、開口位置が上下方向にオフセットし、かつ異なる組に属する前レール取付孔同士および後レール取付孔同士の少なくとも何れか一方は、開口位置が更に前後方向にオフセットしている請求項１記載の引出し装置。
【請求項３】
前レール取付孔と後レール取付孔の間の相対位置関係が、組ごとに異ならせてあり、対応するレールの係り合い部同士も相対位置関係が異ならせてある請求項１記載の引出し装置。
【請求項４】
異なる組に属する前レール取付孔同士又は後レール取付孔同士の少なくとも何れか一方は、開口の大きさ又は形状が異ならせてあり、対応するレールの係り合い部同士も大きさ又は形状が異ならせてある請求項１記載の引出し装置。
【請求項５】
後レール取付孔は前方に開口し、レールの後部に設けた後向きに開く爪状の後係り合い部を後方に移動させて係り合わせるものであり、前レール取付孔は内側方に開口し、レールの前部に設けた下向きに開く爪状の前係り合い部を下方に移動させて係り合わせるものであって、異なる組に属する後レール取付孔同士の開口位置および大きさ、形状等の形態が異ならせてある請求項１〜４何れかに記載の引出し装置。
【請求項６】
割り付けによってレールが配置される可能性がある領域を避けた位置に、筐体の内側面より突出して引出しに係り合うロック爪を配置して、引出しロック機構を構成している請求項１〜５何れかに記載の引出し装置。
【請求項７】
請求項１〜６何れかに記載の引出し装置を備えたことを特徴とする収納家具。
【発明の詳細な説明】
【技術分野】
【０００１】
本発明は、引出しを複数段に備えてなる袖デスクやワゴン等の収納家具に適用される引出し装置に係り、特に引出しの割り付けパターンの違いに適切に対応可能とした引出し装置及びこれを備えた収納家具に関するものである。
【背景技術】
【０００２】
従来よりこの種の引出し装置は、特許文献１等に示されるように、前方に開口する筐体の両側壁にレールを配し、これらのレールに引出しの両側を出し入れ可能に支持させるように構成されている。
【０００３】
この種の引出し装置は、上下方向に複数段の引出しを有しているのが通例であり、レールはその段数分だけ筐体の側壁に備えられている。
【先行技術文献】
【特許文献】
【０００４】
【特許文献１】特開平５−２１４８６９号公報
【発明の概要】
【発明が解決しようとする課題】
【０００５】
ところで、従来の引出し装置は、各引出しに対応するレールを、筐体の側壁における予め定めた割り付け位置に溶接等により固定して取り付けているのが通例である。このため、仕様ごとに筐体を製造しなければならない不便さがある。例えば、筐体の大きさは同じであるが、仕様によっては同じ段に深さ等の異なる別仕様の引出しが取り付けられる場合や、上側の引出と下側の引出が入れ替わる場合、段数違いの引出し装置が構成される場合等がある。これらの仕様違いのものでは、レールの割り付け位置が異なるため、製造工程の早い段階からそれぞれの割り付け位置にレールを固定した仕様ごとの筐体を製造しなければならないため、製造工程の合理化を通じてコスト削減を図ることが難しいという問題がある。また、ノックダウンができない不便さや、上段と中段を入れ替えるなどの事後的な仕様変更にも対応できないという不便さが伴うものである。
【０００６】
本発明は、このような課題を有効に解決することを目的としている。
【課題を解決するための手段】
【０００７】
本発明は、かかる目的を達成するために、次のような手段を講じたものである。
【０００８】
すなわち、本発明の引出し装置は、前方に開口する筐体の両側壁にレール取付部を設定し、これらのレール取付部に、引出しの両側を支持するレールを取り付けるようにしたものであって、前記レール取付部は、レールの前端側及び後端側を支持すべく前レール取付孔及び後レール取付孔を含む組からなり、これらのレール取付孔にレールに設けた係り合い部を着脱可能に係り合わせ得るように構成するとともに、少なくとも何れかの段のレール取付部は、レールの割り付けパターンに対応して前レール取付孔及び後レール取付孔を含む組を複数組有しており、何れかの組を選択して同じ段に異なる種類のレールを取り付け得るように構成したことを特徴とする。
【０００９】
このようにすれば、同じ段に深さ等の異なる別仕様の引出しを取り付ける場合や、上下で引出を入れ替える場合、段数違いの引出し装置を構成する場合等にも、筐体の共通化を図ることができ、しかも、着脱式であるため、共通の筐体に対して、レールを取り付ける最終工程で品種を決めることができ、製造工程の共通化や合理化によるコスト削減を有効に果たすことができる。また、工具を使わないノックダウンにも資するほか、上段と中段を入れ替えるなどの事後的な仕様変更にも工具を使わずに有効に対応することができるようになる。
【００１０】
異なる組に属する前レール取付孔同士および後レール取付孔同士の開口位置が上下方向に接近してオフセットしている場合に、レール取付孔の機能を担保するためには、異なる組に属する前レール取付孔同士および後レール取付孔同士のうち必要な方の開口位置を更に前後方向にオフセットさせておくことが好ましい。
【００１１】
レール取付部に対してレールの取り付け間違いが生じることを有効に防止するためには、前レール取付孔と後レール取付孔の間の相対位置関係が、組ごとに異ならせてあり、対応するレールの係り合い部同士も相対位置関係が異ならせてあることが望ましい。
【００１２】
同様の趣旨で、異なる組に属する前レール取付孔同士又は後レール取付孔同士の少なくとも何れか一方は、開口の大きさ又は形状が異ならせてあり、対応するレールの係り合い部同士も大きさ又は形状が異ならせてあるものも有効である。
【００１３】
特に、レールの取り付けに容易かつ確実な作業性を実現するためには、後レール取付孔が前方に開口し、レールの後部に設けた後向きに開く爪状の後係り合い部を後方に移動させて係り合わせるものであるとともに、前レール取付孔が内側方に開口し、レールの前部に設けた下向きに開く爪状の前係り合い部を下方に移動させて係り合わせるものであって、異なる組に属する後レール取付孔同士の開口位置および大きさ、形状等の形態が異ならせてあることが効果的である。
【００１４】
筐体の内側面より突出して引出しに係り合うロック爪を有する引出しロック機構を備える場合に、上記の効果を有効に担保するためには、割り付けによってレールが配置される可能性がある領域を避けた位置に当該ロック爪を配置しておくことが望ましい。
【００１５】
本発明の好適な適用対象としては、引出し装置を備える袖デスクやワゴン等の収納家具が挙げられる。
【発明の効果】
【００１６】
本発明の引出し装置は、以上説明した構成であるから、異なる仕様の引出し装置を構成する際の製造工程の共通化や合理化によるコスト削減を有効に果たすことができる。また、工具を使わないノックダウンにも資するほか、上段と中段を入れ替えるなどの事後的な仕様変更にも工具を使わずに有効に対応することができるようになる。
【図面の簡単な説明】
【００１７】
【図１】本発明の一実施形態を適用した袖デスクの一部分解斜視図。
【図２】同袖デスクを別角度から見た一部分解斜視図。
【図３】同実施形態の引出しラッチ機構を示す斜視図。
【図４】同実施形態の引出しロック機構の一部を示す斜視図。
【図５】同引出しロック機構の原理を示す一部破断した斜視図。
【図６】同引出し装置のレール取付構造を示す斜視図。
【図７】同実施形態におけるレール後部の取り付け手順を示す図。
【図８】同実施形態におけるレール前部の取り付け手順を示す図。
【図９】同実施形態におけるレールの割り付けパターンの一例を示す図。
【図１０】同実施形態におけるレールの割り付けパターンの他の例を示す図。
【発明を実施するための形態】
【００１８】
以下、本発明の一実施形態を、図面を参照して説明する。
【００１９】
図１及び図２は、本発明の一実施形態に係る引出し装置が適用される収納家具たる袖デスクＤを分解して示すもので、天板Ｄ１の少なくとも一端側を袖部Ｄ２で支持して構成されている。
【００２０】
袖部Ｄ２は、左右の側壁１１を、少なくとも底板１２と背壁（図示しない）と上部横架材１３とにより連結して形成される筐体１を主体とするもので、筐体１の組立後に天板Ｄ１を袖部Ｄ２上に載置し、上部横架材１３に付帯させた図示しないボルトにより締結して組み付けられる。筐体１の内部には、上段に浅い引出し２が、中段及び下段に深い引出し３，４がそれぞれ組み込まれる。
【００２１】
筐体１の側壁１１には、図３等に示すように前縁側に該側壁１１の外板１１ａ、前板１１ｂおよび内板１１ｃの間に扁平な空間を形成する前補強部１１ｘが設けてあり、後縁側に図１及び図２に示すように当該側壁１１の内側に前向き面１１ｄと内向き面１１ｅを形成する後補強部１１ｙが設けてある。そして、前補強部１１ｘと後補強部１１ｙに、それぞれ各引出し２，３，４を出し入れ可能に支持するレール１ａ、１ｂ、１ｃを取り付けている。
【００２２】
この実施形態の上段レール１ａはローラを有する固定レールであり、中段レール１ｂは固定レールにローラを有する中間レールを装着したサスペンションレールであり、下段レール１ｃも固定レールにローラを有する中間レールを装着したサスペンションレールである。
【００２３】
上段の引出し２は、収納空間Ｓａを形成する引出し本体２１の前端部に鏡板２３を装着してなるもので、その引出し本体２１の両外側面には、前後に伸びる中空体状の突条２４を設け、その突条２４を袖部１の上段レール１ａにスライド可能に支持させ得るようにしている。中段の引出し３は、収納空間Ｓｂを形成する引出し本体３１の前端部に鏡板３３を装着してなるもので、その引出し本体３１の両外側面には、前後に伸びる中空体状の突条３４を設け、その突条３４を袖部１の中段レール１ｂにスライド可能に支持させ得るようにしている。下段の引出し４は、収納空間Ｓｃを形成する引出し本体４１の前端部に鏡板４３を装着してなるもので、その引出し本体４１の両外側面には、前後に伸びる中空体状の突条４４を設け、その突条３４を袖部１の下段レール１ｃにスライド可能に支持させ得るようにしている。
【００２４】
そして、筐体１と引出し２，３，４との間に、これらの引出し２，３，４を収納位置に係留する引出しラッチ機構５と、これらの引出し２，３，４を収納位置にロックする引出しロック機構６とを構成している。
【００２５】
引出しラッチ機構５は、図１〜図３に示すように、引出し２、３，４に設けたラッチ要素５１ａ、５１ｂ、５１ｃと、引出し２、３，４を収納する筐体１に設けた第１の被係り合い部５２ａ、５２ｂ、５２ｃとから構成される。ラッチ要素５１ａ、５１ｂ、５１ｃは、鏡板２３．３３．４３の裏面から後方に延出した板状のもので、先端を引出し２，３、４の出し入れ方向と略直交する方向に作動させて筐体１の側壁１１に対して接離させるように支持され、且つ引出し本体２１，３１，４１の外側面から離れて筐体１の側壁１１に向かう方向にバネ５０により弾性付勢されている。中段の引出し３の鏡板３３の裏面は実際には図４に示すような裏板３３ａが装着され、他の引出し２，４についても同様であって、図３に示すラッチ要素５１ａ、５１ｂ、５１ｃはこれらの裏板３３等を貫通して後方に延出される。これに対して筐体１側の第１の被係り合い部５２ａ、５２ｂ、５２ｃは、前補強部１１ｘの内板１１ｃに設けられ、引出し２，３，４を収納位置にまで没入させた際に各々のラッチ要素５１ａ、５１ｂ、５１ｃを筐体１の側壁１１の内面に向かう方向に作動させて、第１の被係り合い部５２ａ、５２ｂ、５２ｃに係り合わせるようにしている。引出し２，３，４の鏡板２３，３３，４３にはラッチ要素５１を第１の被係り合い部５２から離脱させるための引出しレバー２０，３０，４０が設けてある。
【００２６】
引出しロック機構６は、図１、図２及び図５に示すように、筐体１側に設けた回転体である施錠レバー６１と、引出し２，３，４側に設けた第２の被係り合い部６２ａ、６２ｂ、６２ｃおよび施錠部６３とから構成される。施錠レバー６１は、筐体１の前補強部１１ｘに形成した空間Ｓに収容された上下方向に長尺なもので、水平旋回可能によって、各引出し２，３，４に対応する高さ位置において一端部より径方向に向けてロック爪６１ａ、６１ｂ、６１ｃを突没させ得るようにしている。筐体１の前補強１１ｘには、図２及び図５（ｂ）に示すように、施錠レバー６１の他端部のうち中段の引出し３に対応する高さ位置を前補強部１１ｘの内板１１ｃの内面側に表出させるための透窓６０が設けてある。一方、図１及び図５（ａ）に示す第２の被係り合い部６２ａ、６２ｂ、６２ｃは、各引出し２，３，４において施錠レバー６１の各ロック爪６１ａ、６１ｂ、６１ｃに対応する位置に設けてある。図５（ａ）で第２の被係り合い部６２ｂ（６２ａ、６２ｃ）は板金をＶ字状に折り曲げたものを図示しているが、実際にこのような形態は図１に示す中段引出し３および下段引出し４の第２の被係り合い部６２ｂ、６２ｃのみで、上段引出し２の第２の被係り合い部６２ａは実際には図１に示すように突条２４を切り欠いて設けた凹部とされている。また、施錠部６３は、図４及び図５（ｂ）に示すように中段の引出し３に設けられて、施錠操作により、図４に示すように鏡板２２の裏面に設けた施錠杆６３ａを水平側方に突没させるように構成されている。この施錠杆６３ａは、中段引出し３の収納位置で図５（ｂ）に示すように前記透窓６０に対向する部位に位置づけられ、錠操作により施錠杆６３ａが側方に突出すると、透窓６０内に進入して施錠レバー６１の他端部を押圧し、これにより施錠レバー６１が矢印方向に回転して、一端部に設けた図５（ａ）のロック爪６１ａ、６１ｂ、６１ｃが想像線で示す位置に突出し、これにより対応する引出し２，３，４の第２の被係り合い部６２ａ、６２ｂ、６２ｃに前後方向に係り合って、引出し２，３，４の引出し動作を禁止するものである。
【００２７】
このような構成において、本実施形態のレール取付構造は、前記各引出し２，３，４に対応するレール１ａ、１ｂ、１ｃを、筐体１の側壁１１の予め定めた割り付け位置に溶接等により固定して取り付けるのではなく、先ず図６に示すように引出し２，３，４の段数に対応するレール取付部７ａ、７ｂ、７ｃを側壁１１に設け、これらのレール取付部７ａ、７ｂ、７ｃに、引出し２，３、４の両側を支持するレール１ａ、１ｂ、１ｃを着脱可能に取り付けるようにしている。その際、本実施形態は、レール取付部７ａ、７ｂ、７ｃをレール１ａ、１ｂ、１ｃの割り付けパターンに対応させている。具体的には、中段のレール１ｂと下段のレール１ｃに、仕様に応じて図９及び図１０に示すような種類の異なる中段レール（１ｂ１、１ｂ２）、下段レール（１ｃ１、１ｃ２）が取り付けられることに備えて、図６に示すレール取付部７ａ、７ｂ、７ｃのうち、中段のレール取付部７ｂ及び下段のレール取付部７ｃを複数の割り付けパターンに対応できるように複数組で構成している。添え字はその組を示しているものである。
【００２８】
以下、図６及び図９、図１０を参照して具体的に説明すると、上段のレール取付部７ａは、上段レール１ａの前端側及び後端側を支持すべく前レール取付孔７１ａ及び後レール取付孔７２ａを含む組からなり、後レール取付孔７２ａは後補強１１ｙの前向き面１１ｄに前方に開口するように設けられ、前レール取付孔７１ａは前補強１１ｘの内板１１ｃに内側に開口するように設けられている。中段のレール取付部７ｂは、レール１ｂ１（１ｂ２）の前端側及び後端側を支持すべく前レール取付孔７１ｂ１（７１ｂ２）及び後レール取付孔７２ｂ１（７２ｂ２）を含む２つの組７ｂ１，７ｂ２を上下に隣接配置した構成からなり、後レール取付孔７２ｂ１（７２ｂ２）は後補強１１ｙに前方に開口するように設けられ、前レール取付孔７１ｂ１（７１ｂ２）は前補強１１ｘに内側に開口するように設けられている。下段のレール取付部７ｃは、レール１ｃ１（１ｃ２）の前端側及び後端側を支持すべく前レール取付孔７１ｃ１（７１ｃ２）及び後レール取付孔７２ｃ１（７２ｃ２）を含む２つの組７ｃ１，７ｃ２を上下に隣接配置した構成からなり、後レール取付孔７２ｃ１（７２ｃ２）は後補強１１ｙに前方に開口するように設けられ、前レール取付孔７１ｃ１（７１ｃ２）は前補強１１ｘに内側に開口するように設けられている。ここで「含む」としているのは、必要に応じてレールの前後方向の中間部に更に取付孔が設けられる態様があり得るからである。
【００２９】
一方、上段のレール取付部７ａに取り付けられる上段のレール１ａは、後部において後向きに開く爪状の後係り合い部８２ａと、前部において下向きに開く爪状の前係り合い部８１ａとを有しており、図７に示すように、レール１ａを後方に移動させて後係り合い部８２ａを後レール取付孔７２ａに差し込み、その状態で図８に示すようにレール１ａの前部を下方に移動させて前係り合い部８１ａを前レール取付孔７１ａに係り合わせることにより、当該上段レール１ａをレール取付部７ａに取り付けるようにしている。前係り合い部８１ａ、後係り合い部８２ａともに切り起こし片であり、前係り合い部８１ａの上方には当該前係り合い部８１ａとは逆方向に切り起こされて係り合い動作の最後に前レール取付孔７１ａの上縁に嵌り込む突起部８１ａ´が設けてある。
【００３０】
図６に示す中段レール１ｂおよび下段レール１ｃにも、上記上段レール１ａと同様の後係り合い部８２ｂ、８２ｃや前係わり合い部８１ｂ、８１ｃ、突起部８１ｂ´、８１ｃ´が設けられている。ただし、図６及び図９に示す下側のレール取付部７ｂ１，７ｃ１に取り付けられるレール１ｂ１、１ｃ１と、図１０に示す上側のレール取付部７ｂ２，７ｃ２に取り付けられるレール１ｂ２、１ｃ１とでは、前係り合い部８１ｂ、８１ｃや後係わり合い部８２ｂ、８２ｃの位置や大きさ等が異ならせてある。それは、引出２，３の仕様に対応している。
【００３１】
図６及び図９に示す中段レール１ｂ１及び下段レール１ｃ１は、この実施形態ではローラ式のサスペンションレールであり、図１０に示す中段レール１ｂ２及び下段レール１ｃ２は、この実施形態ではボール式のサスペンションレールである。そして、図９に示す中段レール１ｂ１に支持される中段引出し３１は、底が深くてＡ４サイズのファイルを背表紙を下にして収容できるものであり、図１０に示す中段レール１ｂ２に支持される中段引出し３２は、底が浅くてＢ５サイズのファイルを背表紙を下にして収容できるものである。また、このような中段引出し３１，３２の相違に対応して、下段引出し４は、図９の下段引出し４１よりも図１０の下段引出し４２の方が上下寸法の大きいものとなっている。上段レール１ａは上段引出し２とともに図９、図１０に共通のものが用いられている。これらは、引出しの機能とレールの機能の関係を示す一例に過ぎず、実際には更に異なるバリエーションが存在している。
【００３２】
この実施形態における図９及び図１０の中段のレール取付部７ｂ１，７ｂ２について見ると、下側の組に属する前レール取付孔７１ｂ１と上側の組に属する前レール取付孔７１ｂ２とは上下方向にオフセットし、下側の組に属する後レール取付孔７２ｂ１と上側の組に属する後レール取付孔７２ｂ２も上下方向にオフセットしていることに加えて、前レール取付孔７１ｂ１、７１ｂ２同士は、開口位置が更に前後方向にオフセットしている。このため、前レール取付孔７１ｂ１、７１ｂ２は、開口同士を連通させることなく上下方向に近接した配置が可能となっている。また、下側の組に属する前レール取付孔７１ｂ１と後レール取付孔７２ｂ１の間の相対位置関係と、上側の組に属する前レール取付孔７１ｂ２と後レール取付孔７２ｂ２の間の相対位置関係とを見ると、前者の前後方向間隔ｄ１よりも後者の前後方向間隔ｄ２の方が大きい上に、前者の上下変位量δ１の方が後者の前後変位量δ２よりも大きい。中段レール１ｂ１，１ｂ２の係り合い部８１ｂ１，８１ｂ２，８２ｂ１，８２ｂ２もこれらに対応している。したがって、中段レール１ｂ１は下側の組のレール取付部７ｂ１のみに取り付けることが可能とされ、中段レール１ｂ２は上側のレール取付部７ｂ２のみに取り付けることが可能とされている。
【００３３】
一方、下段のレール取付部７ｃ１，７ｃ２について見ると、異なる組に属する前レール取付孔７１ｃ１，７１ｃ２同士および後レール取付孔７２ｃ１，７２ｃ２同士も、開口位置が上下方向にオフセットしており、さらに前レール取付孔７１ｃ１，７１ｃ２同士は、開口位置が前後方向にもオフセットしている。このため、レール取付孔７１ｃ１，７１ｃ２は、開口同士を連通させることなく上下方向に近接した配置が可能となっている。また、下側の組に属する前レール取付孔７１ｃ１と後レール取付孔７２ｂ１の間の相対位置関係と、上側の組に属する前レール取付孔７１ｂ２と後レール取付孔７２ｃ２の間の相対位置関係とを見ると、前者の前後方向間隔Δ１よりも後者の前後方向間隔Δ２の方が大きい。下段レール１ｃ１，１ｃ２の係り合い部８１ｃ１，８１ｃ２，８２ｃ１，８２ｃ２もこれらに対応している。したがって、下段レール１ｃ１は下側の組のレール取付部７ｃ１のみに取り付けることが可能とされ、下段レール１ｃ２は上側のレール取付部７ｃ２のみに取り付けることが可能とされている。さらに、下に位置する後レール取付孔７２ｃ１の上下開口寸法Ｌ１よりも、上に位置する後レール取付孔７２ｃ２の上下開口寸法Ｌ２の方が大きく、下段レール１ｃ１，１ｃ２の係り合い部８２ｃ１，８２ｃ２もこれに対応していて、一見して何れのレールの取付先であるかが明瞭とされている。なお、図９における後レール取付孔７２ａ、７２ｂ（７２ｂ１，７２ｂ２）、７２ｃ（７２ｃ１，７２ｃ２）の開口の大きさ等も、上段、中段、下段の間で段ごとに適宜大きさを変えている。
【００３４】
なお、図３に示した引出しロック機構６を構成するロック爪６１ｂ、６１ｃは、割り付けによってレール１ｂ、１ｃが配置される可能性がある領域を避けた位置に配されており、ロック爪６１ａは、レール１ａに設けた切欠を介して突没することが許容されている。
【００３５】
以上のように、本実施形態の引出し装置は、前方に開口する筐体１の両側壁１１にレール取付部７ａ、７ｂ、７ｃを設定し、これらのレール取付部７ａ、７ｂ、７ｃに、引出し２，３，４の両側を支持するレール１ａ、１ｂ、１ｃを取り付けるにあたり、レール取付部７ａ、７ｂ、７ｃを、レール１ａ、１ｂ、１ｃの前端側及び後端側を支持すべく前レール取付孔及び後レール取付孔を含む組からなるものにし、これらの組の前レール取付孔７１ａ、７１ｂ（７１ｂ１，７１ｂ２）、７１ｃ（７１ｃ１，７１ｃ２）及び後レール取付孔７２ａ、７２ｂ（７２ｂ１，７２ｂ２）、７２ｃ（７２ｃ１，７２ｃ２）に、レール１ａ、１ｂ、１ｃに設けた前係り合い部８１ａ、８１ｂ（８１ｂ１，８１ｂ２）、８１ｃ（８１ｃ１，８１ｃ２）及び後係り合い部８２ａ、８２ｂ（８２ｂ１，８２ｂ２）、８２ｃ（８２ｃ１，８２ｃ２）を着脱可能に係り合わせ得るように構成したものである。そして、中段及び下段のレール取付部７ｂ、７ｃを、レール１ｂ１，１ｂ２，１ｃ１，１ｃ２の割り付けパターンに対応して複数のレール取付部を構成する組７ｂ１，７ｂ２，７ｃ１，７ｃ２からなるものにし、何れかの組を選択して同じ段に異なる種類のレール１ｂ１，１ｂ２，１ｃ１，１ｃ２を取り付け得るようにしたものである。
【００３６】
このようにすれば、同じ段に深さ等の異なる別仕様の引出し３１，３２、４１，４２を取り付ける場合や、上下の引出３１，４１（３２、４２）を入れ替える場合や、段数違いの引出支装置を構成する場合等に、共通の筐体１を用いることができ、しかも、着脱式であるため、共通の筐体１に対して最終工程で何れのレール１ｂ１，１ｂ２，１ｃ１，１ｃ２を取り付けるかを決定することができて、製造工程の共通化や合理化、部品点数の削減によるコストダウンを有効に図ることができるようになる。また、工具を使わないノックダウンにも資するものとなり、さらに、上段と中段を入れ替えるなどの事後的な仕様変更にも工具を使わずに有効に対応することが可能となる。
【００３７】
具体的には、同じ段の異なる組に属する前レール取付孔７１ｂ１，７１ｂ２同士および後レール取付孔７２ｂ１，７２ｂ２同士（前レール取付孔７１ｃ１，７１ｃ２同士および後レール取付孔７２ｃ１，７２ｃ２同士）は、開口位置が上下方向にオフセットし、かつ異なる組に属する前レール取付孔７１ｂ１，７１ｂ２同士（前レール取付孔７１ｃ１，７１ｃ２同士）は、開口位置が更に前後方向にオフセットしているので、上下のレール取付孔７１ｂ１，７１ｂ２同士（７１ｃ１，７１ｃ２同士）を接近させて設けてもそれらが連通してレール取付孔の機能が失われることがなく、種々の仕様に有効に対応することができる。
【００３８】
また、前レール取付孔７１ｂと後レール取付孔７２ｂの間の相対位置関係や、前レール取付孔７１ｂと後レール取付孔７２ｂの間の相対位置関係も、添え字で示す組ごとに異ならせてあり、対応するレール１ｂ、１ｃの係り合い部８１ｂ、８２ｂ同士、８１ｃ、８２ｃ同士も、添え字で示す組ごとに相対位置関係が異ならせてあるので、同じ段のレール取付部７ｂ（７ｂ１，７ｂ２）、７ｃ（７ｃ１，７ｃ２）に対してレール１ｂ（１ｂ１，１ｂ２）、１ｃ（１ｃ１，１ｃ２）の取り付け間違いが生じることも有効に防止することができる。
【００３９】
さらに、後レール取付孔７２ｃ１，７２ｃ２同士などは、開口の大きさが異ならせてあり、対応するレール１ｃ１，１ｃ２の係り合い部８２ｃ１，８２ｃ２同士も大きさが異ならせてあって、これらの点も、レールに取り付け間違いが生じることを防止する上で奏効するものとなる。勿論、形状を異ならせた場合等にも同様の効果が奏される。
【００４０】
特に、この後レール取付孔７２ｃ１，７２ｃ２について更に詳述すると、これらは前方に開口していて、レール１ｃ１，１ｃ２の後部に設けた後向きに開く爪状の後係り合い部８２ｃ１，８２ｃ２を後方に移動させて係り合わせるものであり、前レール取付孔７１ｃ１，７１ｃ２は内側方に開口し、レール１ｃ１，１ｃ２の前部に設けた下向きに開く爪状の前係り合い部８１ｃ１，８１ｃ２を下方に移動させて係り合わせるものであるため、レール１ｃ１，１ｃ２の後方を差し込み、前方を落とし込むことで簡単に装着作業を行うことができる上に、後レール取付孔７２ｃ１，７２ｃ２の開口位置と形態がレール１ｃ１，１ｃ２ごとに異なることで、後レール取付孔７２ｃ１，７２ｃ２と後係り合い部８１ｃ１，８１ｃ２を視認するだけでその位置に取り付けるべき適切なレールであるか否かを判断することが容易となり、取り付け間違いを早い段階で防止する上で有用なものとなる。勿論、形状を異ならせも同様の効果が得られる。
【００４１】
さらに、割り付けによってレール１ａ、１ｂ、１ｃが配置される可能性がある領域を避けた位置に、筐体１の内側面より突出して引出し２，３，４に係り合うロック爪６１ａ、６１ｂ、６１ｃを配置して、引出しロック機構６を構成しているので、仕様変更に容易に対応できるという本実施形態の効果を有効に担保しておくことができる。
【００４２】
とりわけ、このような引出し装置を備えた袖デスクＤにおいては、収納するファイルの大きさや、ファイルボックス対応品であるか否か等によって、様々なバリエーション展開がされているため、上記の効果が特に顕著に奏されるものとなる。
【００４３】
なお、各部の具体的な構成は上述した実施形態のみに限定されるものではなく、本発明の趣旨を逸脱しない範囲で種々変形が可能である。また、本発明の引出し装置を適用して独立したワゴンを構成するなど、適用可能な収納家具も上記に限定されるものではない。
【符号の説明】
【００４４】
１…筐体
１ａ、１ｂ、１ｂ１，１ｂ２，１ｃ、１ｃ１，１ｃ２…レール
２，３，４…引出し
７ａ、７ｂ、７ｂ１，７ｂ２，７ｃ、７ｃ１，７ｃ２…レール取付部
７１ａ、７１ｂ、７１ｂ１，７１ｂ２、７１ｃ、７１ｃ１，７１ｃ２…前レール取付孔
７２ａ、７２ｂ、７２ｂ１，７２ｂ２、７２ｃ、７２ｃ１，７２ｃ２…後レール取付孔
８１ａ、８１ｂ、８１ｂ１，８１ｂ２、８１ｃ、８１ｃ１，８１ｃ２…前係り合い部
８２ａ、８２ｂ、８２ｂ１，８２ｂ２、８２ｃ、８２ｃ１，８２ｃ２…後係り合い部
【図１】
0005403540.tif 000002
【図２】
0005403540.tif 000003
【図３】
0005403540.tif 000004
【図４】
0005403540.tif 000005
【図５】
0005403540.tif 000006
【図６】
0005403540.tif 000007
【図７】
0005403540.tif 000008
【図８】
0005403540.tif 000009
【図９】
0005403540.tif 000010
【図１０】
0005403540.tif 000011